(57)【要約】【課題】管理制御用のグラフィック画面の製作にかかる作業量又はコストを削減し、効率的なプラント運用が可能となる監視制御システムを提供する。【解決手段】端末１はＷｅｂブラウザ上でプラントの監視制御操作を行うもので、ユーザをグルーピングして各グループに所属するユーザ、および各グループに対して表示可能なグラフィック画面を設定した場合の設定情報をサーバ２に送信する表示画面選択機能部１ｃを備え、グループに所属するユーザの端末１からの要求操作に応じて、サーバ２は設定情報保有機能部２ｂで保有されている表示画面選択機能部１ｃの設定情報およびデータベース装置３に格納されているデータに基づき各グループに関して表示可能なグラフィック画面の情報を端末１に送信することで、ユーザをグループ単位で管理しグループ毎に表示可能なグラフィック画面を選択できるようにしている。【選択図】図１
2019114090.tif 000002
【特許請求の範囲】
【請求項１】
プラントの運転状態の監視および制御を行うためのシステムであって、
Ｗｅｂブラウザ上でプラントの監視制御操作を行うための端末と、上記端末にプラント監視データを配信するサーバと、プラントの監視制御用の各種データを保有するデータベース装置とを備え、上記端末と上記サーバとは通信ネットワークを介して互いに接続されており、
上記端末は、ユーザをグルーピングして各グループに所属するユーザ、および各グループに関して表示可能なグラフィック画面を設定した場合の設定情報を上記サーバに送信する表示画面選択機能部を備え、
上記サーバは、上記データベース装置に格納されているプラントの監視制御用の各種データを上記端末に送信する監視データ配信機能部と、上記表示画面選択機能部による上記設定情報を保存する設定情報保有機能部とを備え、
各グループに所属するユーザの上記端末からの要求操作に応じて、上記サーバは上記設定情報保有機能部の設定情報および上記データベース装置に格納されているデータに基づいて各グループに関して表示可能なグラフィック画面の情報を端末に送信することにより、ユーザをグルーピングし、各グループに関するグラフィック画面の表示を選択できる権限を設定できるようにしている、監視制御システム。
【請求項２】
上記端末は、ユーザをグルーピングして各グループに所属するユーザ、および各グループに関して表示可能なグラフィック画面を設定し、さらに設定されたグラフィック画面に対して予め割り付けられているプラントの制御可能な機器を設定した場合に、当該機器に関する設定情報を上記サーバに送信する画面操作権限付与選択機能部を備え、
上記サーバの上記設定情報保有機能部は、上記表示画面選択機能部による上記設定情報に加えて上記画面操作権限付与選択機能部による設定情報を保存するものであり、
各グループに所属するユーザの上記端末からの要求操作に応じて、上記サーバは上記設定情報保有機能部の設定情報および上記データベース装置に格納されているデータに基づいて各グループに対して表示可能なグラフィック画面の情報と共に、グラフィック画面に対して予め割り付けられているプラントの制御可能な機器に関する機器情報を同時に上記端末に送信することで、
グラフィック画面に対して画面監視のみ、または監視制御可能のいずれかの権限を割り当て、監視制御可能とした場合に、グラフィック画面を選択した際に当該グラフィック画面に対して予め割り付けられている機器の制御の可否を設定できるようにしている、請求項１に記載の監視制御システム。
【請求項３】
上記端末は、上記表示画面選択機能部に代えて、ユーザをグルーピングして各グループに所属するユーザ、およびグラフィック画面上に予め割り付けられている制御可能な機器を設定し、当該機器に関する設定情報を上記サーバに送信する機器操作権限付与機能部を備え、
上記サーバの上記設定情報保有機能部は、上記機器操作権限付与機能部による設定情報を保存するものであり、
グループに所属するユーザの上記端末からの要求操作に応じて、上記サーバは上記設定情報保有機能部の設定情報および上記データベース装置に格納されているデータに基づいて各グループに関して表示可能なグラフィック画面の情報と共に、当該グラフィック画面に対して予め割り付けられているプラントの制御可能な機器に関する機器情報を同時に端末に送信することで、
各グループについて表示可能なグラフィック画面選択の際、当該グラフィック画面上に予め割り付けられている制御可能な機器を操作できるようにしている、請求項１に記載の監視制御システム。
【請求項４】
上記端末は、上記表示画面選択機能部に代えて、ユーザをグルーピングして各グループに所属するユーザ、およびグラフィック画面以外のプラント監視用の機能別画面を設定し、当該設定情報を上記サーバに送信する機能別操作権限付与機能部を備え、
上記サーバの上記設定情報保有機能部は、上記機能別操作権限付与機能部による設定情報を保存するものであり、
各グループに所属するユーザの上記端末からの要求操作に応じて、上記サーバは上記設定情報保有機能部の設定情報および上記データベース装置に格納されているデータに基づいて各グループに関する上記機能別画面の情報を端末に送信することで、
ユーザをグルーピングし、各グループに関してグラフィック画面以外の機能別画面の表示を選択できる権限を設定できるようにしている、請求項１に記載の監視制御システム。
【請求項５】
上記端末は、ユーザをグルーピングして各グループに所属するユーザ、および各グループに関して表示可能なグラフィック画面を設定する場合において、さらに設定されたグラフィック画面を縮小したサムネイル画面を設定し、当該設定情報を上記サーバに送信するサムネイル画面選択機能部を備え、
上記サーバの上記設定情報保有機能部は、他の設定情報に加えて上記サムネイル画面選択機能部による設定情報を保存するものであり、
各グループに所属するユーザの上記端末からの要求操作に応じて、上記サーバは上記設定情報保有機能部の設定情報および上記データベース装置に格納されているデータに基づいて各グループに関する上記グラフィック画面と上記サムネイル画面の情報を端末に送信することで、
ユーザをグルーピングし、各グループに関して表示可能なグラフィック画面と共に、上記サムネイル画面選択機能部で設定されたサムネイル画面も表示できる、請求項１または請求項２に記載の監視制御システム。
【請求項６】
上記端末は、各グループに所属するユーザの権限、および各グループに関して表示可能なグラフィック画面に対して付与された権限の少なくとも一方を検索するための権限検索機能部を備え、
上記権限検索機能部からの検索要求操作に応じて、上記サーバは上記設定情報保有機能部の設定情報および上記データベース装置に格納されているデータに基づいて、ユーザが所属するグループと当該グループに関して表示可能なグラフィック画面の情報、あるいはグラフィック画面を表示可能に選択したグループと当該グラフィック画面に関して付与された権限の情報を上記端末に送信することで、これらの検索結果を端末に表示する、請求項１または請求項２に記載の監視制御システム。
【発明の詳細な説明】
【技術分野】
【０００１】
この発明は、プラント設備の運転状態の監視および設備機器の制御を行う監視制御システムに係り、特には、効率的なプラント運用を可能とするための技術に関するものである。
【背景技術】
【０００２】
従来技術では、プラント設備の運転状態の監視および設備機器の制御を行うための画面および設備機器毎にどのユーザに対して表示するかを予め設定しておき、ユーザに応じて上記の画面および設備機器の表示／非表示を決定する機能を備えた監視制御システムが開示されている（下記の特許文献１参照）。これにより、ユーザの指示によって任意に画面を選択表示できるため、ユーザの効率的な監視業務を支援できるとしている。
【０００３】
また、プログラミング装置によりＰＬＣ（プログラマブルコントローラ）を操作する場合において、プログラミング装置の設定画面からユーザ毎にＰＬＣに対する操作の種類を制限できるようにしたものが開示されている（下記の特許文献２参照）。これにより、ＰＬＣ内のプログラムへの不正アクセスを防止してシステム全体のセキュリティを向上できるとしている。
【先行技術文献】
【特許文献】
【０００４】
【特許文献１】特開２０１３−２３５３２０号公報
【特許文献２】特開２０１４−１３６２２号公報
【発明の概要】
【発明が解決しようとする課題】
【０００５】
しかしながら、特許文献１記載の従来技術では、プラント設備の運転状態の監視および設備機器の制御を行うための画面に対する操作権限については何ら記載されていない。また、特許文献２記載の従来技術では、ＰＬＣに対する操作権限をユーザ毎に割り当てるようにしているものの、ユーザをグルーピングし、そのグループ単位で操作権限を割り当てる機能については何ら記載されていない。
【０００６】
したがって、従来の監視制御装置における操作権限の割り当ては、個々のユーザが専用の設備機器の管理画面などを作成し、ユーザ毎に専用のＵＲＬを用いてその画面を表示するようにしていた。そのため、各ユーザの人数分だけの画面データとＵＲＬとが必要となり、作業量やコストが増加するという問題があった。
【０００７】
すなわち、あるグループに属するユーザが複数人いるとした場合、そのグループに属する各ユーザは、例えばプラント内の特定範囲の設備機器の管理を任されることが多い。したがって、従来のように、あるグループに属する個々のユーザが個別に監視、制御用のグラフィック画面を作成し、ユーザ毎に専用のＵＲＬを用いてそのグラフィック画面を表示できるようにした場合には、実質的には同じ内容の画面データが個々のユーザの数だけ存在することになる。すなわち、実質的には同じ内容の画面データが重複して存在することになり、画面作成のため作業労力が無駄になるだけでなく、画面データのデータ量が増加するなど、余分な労力とコストがかかるという課題がある。
【０００８】
この発明は、上記のような課題を解決するためになされたものであり、ユーザをグループ単位で管理し、各グループに関して表示可能な監視制御用のグラフィック画面の表示設定操作の権限を割り当てるようにする。そして、予め表示設定操作の権限が与えられた特定のユーザが代表として監視制御用のグラフィック画面の表示設定を行うことにより、従来、ユーザ毎に製作していたグラフィック画面等の作成を不要として、当該作業費用を削減するとともに、効率的なプラント運用が可能となる監視制御システムを提供することを目的とする。
【課題を解決するための手段】
【０００９】
この発明の監視制御システムは、プラントの運転状態の監視および制御を行うためのシステムであって、
Ｗｅｂブラウザ上でプラントの監視制御操作を行うための端末と、上記端末にプラント監視データを配信するサーバと、プラントの監視制御用の各種データを保有するデータベース装置とを備え、上記端末と上記サーバとは通信ネットワークを介して互いに接続されており、
上記端末は、ユーザをグルーピングして各グループに所属するユーザ、および各グループに関して表示可能なグラフィック画面を設定した場合の設定情報を上記サーバに送信する表示画面選択機能部を備え、
上記サーバは、上記データベース装置に格納されているプラントの監視制御用の各種データを上記端末に送信する監視データ配信機能部と、上記表示画面選択機能部による上記設定情報を保存する設定情報保有機能部とを備え、
各グループに所属するユーザの上記端末からの要求操作に応じて、上記サーバは上記設定情報保有機能部の設定情報および上記データベース装置に格納されているデータに基づいて各グループに関して表示可能なグラフィック画面の情報を端末に送信することにより、ユーザをグルーピングし、各グループに関するグラフィック画面の表示を選択できる権限を設定できるようにしている。
【発明の効果】
【００１０】
この発明の監視制御システムによれば、ユーザをグループ単位で管理し、各グループに関して表示可能な監視制御用のグラフィック画面の表示設定操作の権限を割り当て、予め表示設定操作の権限が与えられたそのグループに属するユーザが代表としてグラフィック画面の表示設定することができる。これにより、従来、ユーザ毎に製作していた監視制御用のグラフィック画面等の作成が不要となるため、作業費用を削減できるとともに、効率的なプラント運用が可能となる。
【図面の簡単な説明】
【００１１】
【図１】この発明の実施の形態１における監視制御システムの構成図である。
【図２】この発明の実施の形態１において、グループに所属するユーザおよびグループに対応したグラフィック画面を設定する手順を示すフローチャートである。
【図３】この発明の実施の形態１において、各グループに関して表示可能なグラフィック画面を割り当てるためのユーザグループ管理画面の一例を示すイメージ図である。
【図４】この発明の実施の形態１において、グループに割り当てられたグラフィック画面の一つを表示した場合のプラント監視画面の一例を示すイメージ図である。
【図５】この発明の実施の形態２における監視制御システムの構成図である。
【図６】この発明の実施の形態２において、グループに所属するユーザおよびグループに対応したグラフィック画面とその制御権限を設定する手順を示すフローチャートである。
【図７】この発明の実施の形態２において、各グループに関して表示可能なグラフィック画面と制御権限を割り当てるためのユーザグループ管理画面の一例を示すイメージ図である。
【図８】この発明の実施の形態３における監視制御システムの構成図である。
【図９】この発明の実施の形態３において、グループに関して制御可能な機器を割り当てるためのユーザグループ管理画面の一例を示すイメージ図である。
【図１０】この発明の実施の形態３において、ある一つのグラフィック画面を表示した場合に当該画面に含まれる制御可能な機器シンボルを表示した場合のプラント監視画面の一例を示すイメージ図である。
【図１１】この発明の実施の形態４における監視制御システムの構成図である。
【図１２】この発明の実施の形態４において、各グループに関してシステム監視用の機能を割り当てるためのユーザグループ管理画面の一例を示すイメージ図である。
【図１３】この発明の実施の形態４において、グループに割り当てられたシステム監視用の機能画面を表示した場合のプラント監視画面の一例を示すイメージ図である。
【図１４】この発明の実施の形態４において、グループに割り当てられたシステム監視用の機能画面を表示した場合のプラント監視画面の一例を示すイメージ図である。
【図１５】この発明の実施の形態５における監視制御システムの構成図である。
【図１６】この発明の実施の形態５において、各グループに関して表示可能なグラフィック画面およびそのサムネイル画面を割り当てるためのユーザグループ管理画面の一例を示すイメージ図である。
【図１７】この発明の実施の形態５において、グループに割り当てられたグラフィック画面の内の一画面およびサムネイル画面を表示した場合のプラント監視画面の一例を示すイメージ図である。
【図１８】この発明の実施の形態６における監視制御システムの構成図である。
【図１９】この発明の実施の形態６において、ユーザ名に基づいてその所属するグループおよびそれに対応したグラフィック画面の検索操作を行うための検索画面の一例を示すイメージ図である。
【図２０】この発明の実施の形態６において、グラフィック画面に基づいてユーザが所属するグループおよびそれに対応した監視や制御の権限の検索操作を行うための検索画面の一例を示すイメージ図である。
【発明を実施するための形態】
【００１２】
実施の形態１．
図１は、この発明の実施の形態１における監視制御システムの構成図である。
この監視制御システムは、ここではプラントの各種設備の運転状態の監視および制御を行うためのシステムであって、Ｗｅｂブラウザ上でプラントの監視制御操作を行うための端末１と、端末１にプラント監視データを配信するサーバ２と、プラントの監視制御用の各種データを保有するデータベース装置３（以下、ＤＢ装置と称す）とを備え、端末１とサーバ２とは通信ネットワークを介して互いに接続して構成されている。なお、端末１はここでは一つしか示していないが、サーバ２に対して複数設けられたものであってもよい。
【００１３】
端末１は、操作管理機能部１ａと、ユーザグルーピング機能部１ｂと、表示画面選択機能部１ｃを備えるとともに、表示画面展開用のブラウザ機能および図示しない画像表示用のディスプレイを備える。
【００１４】
操作管理機能部１ａは、図示しないキーボード、マウスなどのマンマシンインタフェース、あるいはタブレットボードに対するスタイラスペンなどから入力される指示に応じてユーザグルーピング機能部１ｂまたは表示画面選択機能部１ｃを操作するとともに、サーバ２とアクセスする機能を有する。
【００１５】
ユーザグルーピング機能部１ｂは、操作管理機能部１ａからの指示に応じて、サーバ２からグルーピングされたユーザ名、プラントの監視用または監視制御用の各種のグラフィック画面の情報を取得する機能を有する。
【００１６】
表示画面選択機能部１ｃは、操作管理機能部１ａからの指示に応じて、後述のユーザグループ管理画面４で選択されたユーザ名、監視用あるいは監視制御用のグラフィック画面の設定情報を一時的に保持するとともに、この設定情報をサーバ２に送信する機能を有する。
【００１７】
サーバ２は、ＤＢ装置３に格納されているプラントの監視および制御用の各種データを端末１に送信する監視データ配信機能部２ａと、端末１に表示された後述のユーザグループ管理画面４により選択された設定情報を保存する設定情報保有機能部２ｂとを備える。
【００１８】
ＤＢ装置３は、プラントに配備された各種センサで得られるプラント監視制御用のデータを逐次保存するとともに、これに加えて、プラントの監視または制御用の各種のグラフィック画面（以下、単にグラフィック画面という）とそれらの画面名称の情報、各グラフィック画面に対して予め割り付けられたプラント制御用の設備機器の情報（機器シンボル、数値シンボル、およびそれらの名称）、後述のユーザグループ管理画面４またはプラント監視画面５を表示するための情報、さらにプラントを監視制御する個々のユーザの名称などの情報が事前に登録されている。
【００１９】
ここで、プラント内の特定範囲の設備機器の管理は、通常、複数人のユーザで構成されたグループ単位で任されることが多い。そこで、予め決められた特定のユーザ（以下、管理ユーザと称する）がグラフィック画面の表示設定を行う権限が割り当てられる。しかも、この場合に選任される管理ユーザは、プラント内の特定範囲の設備機器の配置、構成、および監視制御対象となる機器などの管理内容などを予め十分に理解して把握できているものとする。
【００２０】
次に、管理ユーザが、そのグループの一員であるユーザおよびそのグループに対応したグラフィック画面の情報を設定する手順について、図２に示すフローチャートを参照して説明する。
【００２１】
管理ユーザが端末１にログインして操作管理機能部１ａに所定の指示を出すと、これに応じて、サーバ２の監視データ配信機能部２ａは、ＤＢ装置３に予め登録されているユーザグループ管理画面表示用の情報を端末に送信するので、端末１には図３に示すようなユーザグループ管理画面４が表示される（ステップＳ１）。
【００２２】
このユーザグループ管理画面４では、グループ名を新規作成するか、または作成済みのグループ名がユーザグループ名称４ａとして表示される。管理ユーザは、ユーザグループ名称４ａの中から一つのグループを選択すると、これに応じて、ユーザグルーピング機能部１ｂは、ＤＢ装置３からサーバ２を介してグルーピングされたユーザ名およびグラフィック画面の情報を取得し、ユーザ名をユーザ名一覧４ｂに、またグラフィック画面の名称を画面名称一覧４ｃにそれぞれ表示する（ステップＳ２）。
【００２３】
そして、管理ユーザは、ユーザ名一覧４ｂに設けられているユーザ選択チェックボックス４ｄにチェックを入れることでグループに所属するユーザを選択する。また、管理ユーザは、画面名称一覧４ｃに隣接して設けられている表示選択チェックボックス４ｅにチェックを入れることで当該グループに関して表示するグラフィック画面を選択する。
【００２４】
図３に示す例では、管理ユーザは、ユーザグループ１に関して、ユーザ名としてユーザ１、７、８を選択し、また、画面名称２、３、６、８に対応したグラフィック画面を選択している。
【００２５】
これに応じて、操作管理機能部１ａがその設定内容を取得し、保存ボタン４ｆを押下することでそのユーザグループ管理画面４でチェックが入れられた設定情報（ユーザ名とグラフィック画面の情報）を表示画面選択機能部１ｃがサーバ２へ送信する。サーバ２は、端末１から送信されたこのユーザグループ管理用の設定情報を設定情報保有機能部２ｂに保存する（ステップＳ３）。
【００２６】
その後、グループの一員である任意のユーザが、端末１にユーザ名を指定してログインして操作管理機能部１ａに所定の指示を出すと、これに応じて、サーバ２の監視データ配信機能部２ａは、設定情報保有機能部２ｂに保存されている設定情報を参照して、ＤＢ装置３に予め登録されているプラント監視画面表示用の情報を端末１に送信するので、端末１には、図４に示すようなプラント監視画面５が表示される。
【００２７】
このプラント監視画面５には、メニュー一覧表示領域５ａと画面表示領域５ｂとが設けられている。そして、メニュー一覧表示領域５ａにおいて、「グラフィック画面」のボタンをクリックすると、図３のユーザグループ管理画面４で選択したユーザグループ（この例ではユーザグループ１）に関連したグラフィック画面の名称（ここでは、画面２、３、６、８）が一覧で表示される。そこで、その一つの画面名称（ここでは画面２）を選択すると、画面表示領域５ｂには選択した画面名称に対応したグラフィック画面が表示される。
【００２８】
なお、図２のステップＳ３において、ユーザグループ管理画面４の表示選択チェックボックス４ｅに対してチェックを入れなかったグラフィック画面については非表示設定となり、そのグループの一員であるユーザがログインしても、端末１には非表示設定したグラフィック画面は表示できない。また、管理ユーザが端末１に別途ログインしてユーザグループ管理画面４を表示させた後、ユーザ選択チェックボックス４ｄまたは表示選択チェックボックス４ｅに新たにチェックを入れることでグループに所属するユーザの追加またはグループに関するグラフィック画面の追加が可能である。
【００２９】
以上のように、この実施の形態１では、ユーザをグルーピングし、各グループを代表する管理ユーザに対して一括でグラフィック画面の表示／非表示を選択できる権限を与えるようにしているので、従来のように、グラフィック画面の設定をユーザ毎に個々に行う場合と比較して、余分な作業量が削減され、より効率的なプラントの監視や制御が可能となる。
【００３０】
実施の形態２．
図５はこの発明の実施の形態２における監視制御システムの構成図であり、実施の形態１に対応もしくは相当する部分には同一の符号を付して詳しい説明は省略する。
【００３１】
この実施の形態２では、図１に示した実施の形態１の構成に加えて、端末１にグループ毎に監視のみならず制御の権限を割り当てる画面操作権限付与機能部１ｄが設けられている。
【００３２】
この画面操作権限付与機能部１ｄは、操作管理機能部１ａからの指示に応じてユーザグループ管理画面４で選択されるグラフィック画面の情報、およびこのグラフィック画面に対して予め割り付けられているプラントの制御機器の情報（機器シンボル、数値シンボル、およびそれらの名称を示す制御情報）を一時的に保持するとともに、この制御情報をサーバ２に送信する機能を有する。
【００３３】
次に、管理ユーザが、そのグループの一員であるユーザ、およびそのグループに対応したグラフィック画面およびその画面に予め割り付けられている機器制御の情報を設定する手順について、図６に示すフローチャートを参照して説明する。
【００３４】
管理ユーザが端末１にログインして操作管理機能部１ａに所定の指示を出すと、実施の形態１と同様、これに応じてサーバ２の監視データ配信機能部２ａは、ＤＢ装置３に予め登録されているユーザグループ管理画面表示用の情報を端末１に送信するので、端末１には図７に示すようなユーザグループ管理画面４が表示される（ステップＳ１１）。
【００３５】
このユーザグループ管理画面４では、実施の形態１同様に、管理ユーザがユーザグループ名称４ａの中から一つのグループを選択すると、これに応じて、サーバ２によりＤＢ装置３から取得したユーザ名がユーザ名一覧４ｂに、またグラフィック画面の名称が画面名称一覧４ｃにそれぞれ表示される。さらに、ユーザグループ管理画面４には、権限リストボックス４ｇが表示されるとともに、表示選択チェックボックス４ｅに隣接して制御選択チェックボックス４ｈが表示される。
【００３６】
ここで、上記の権限リストボックス４ｇにおいて、「監視」または「監視・制御」のいずれかを選択することで、グループについて表示可能なグラフィック画面に予め割り付けられている設備機器を監視するのみか、設備機器を制御するかの権限を割り当てる（ステップＳ１２）。
【００３７】
すなわち、実施の形態１の場合と同様に、グループに所属するユーザを、ユーザ名一覧４ｂに設けられているユーザ選択チェックボックス４ｄにチェックを入れて選択し、また、当該グループに関するグラフィック画面を、画面名称一覧４ｃに設けられている表示選択チェックボックス４ｅにチェックを入れて選択する。この場合、権限リストボックス４ｇにおいて「監視・制御」を選択した場合には、表示選択チェックボックス４ｅとともに、これに隣接して配置された制御選択チェックボックス４ｈにもチェックを入れることが可能となる。そして、制御選択チェックボックス４ｈにチェックを入れることで、グラフィック画面に対して予め対応付けられた制御機器（制御可能な機器シンボル又は数値シンボル）を選択操作することが可能となる（ステップＳ１３）。
【００３８】
図７に示す例では、ユーザグループ１に関して、ユーザ名としてユーザ１、７、８を選択し、また、画面名称２、３、６、８に対応したグラフィック画面を選択するとともに、画面名称３、８のグラフィック画面に対して「制御」を選択しているので、この選択されたグラフィック画面に関して、予め対応付けられた制御可能な機器シンボル又は数値シンボルを選択操作することが可能となる。
【００３９】
なお、権限リストボックス４ｇにおいて、「監視・制御」が選択されていても、表示選択チェックボックス４ｅにチェックを入れていなければ、制御選択チェックボックス４ｈにはチェックを入れることができない。
【００４０】
そして、表示画面選択機能部１ｃはユーザグループ管理画面４でチェックが入れられたユーザ名とグラフィック画面の設定情報を、また、画面操作権限付与機能部１ｄが制御選択チェックボックス４ｈにチェックが入れられた制御機器（機器シンボル又は数値シンボル）についての設定内容をそれぞれ取得するので、保存ボタン４ｆが押下されたタイミングでこれらの設定情報（ユーザ名、グラフィック画面、制御機器の情報）をサーバ２へ送信する。サーバ２は、端末１から送信されたこれらのユーザグループ管理用の設定情報を設定情報保有機能部２ｂに保存する（ステップＳ１４）。
【００４１】
なお、権限リストボックス４ｇにおいて「監視」を選択した場合は、制御選択チェックボックス４ｈが全てチェック不可となる（ステップＳ１５）。このため、グラフィック画面内に予め割り付けられている制御機器（機器シンボル又は数値シンボル）をマウスクリックなどにより選択して操作することが不可となる。
【００４２】
その後、グループの一員である任意のユーザが、端末１にユーザ名を指定してログインすると、実施の形態１の場合と同様に、端末１には図４に示したようなプラント監視画面５が表示される。
【００４３】
そして、メニュー一覧表示領域５ａにおいて、「グラフィック画面」のボタンをクリックすると、図７のユーザグループ管理画面４で選択したユーザグループ（ここではユーザグループ１）に関連したグラフィック画面の名称が一覧で表示される。
【００４４】
そこで、表示されているグラフィック画面の名称の内の一つを選択（例えば画面名称３を選択）した場合、画面表示領域５ｂには選択した画面名称に対応するグラフィック画面が表示される。このグラフィック画面に関しては、図７に示したユーザグループ管理画面４の制御選択チェックボックス４ｈに既にチェックが入れられて「制御」が選択されているので、画面表示領域５ｂに表示されるグラフィック画面に予め割り付けられた制御可能な設備機器（機器シンボル又は数値シンボル）を選択操作することが可能となる。
【００４５】
以上のように、この実施の形態２では、ユーザをグルーピングし、管理ユーザが一括でグラフィック画面の表示／非表示を選択できる権限を与えるだけでなく、そのグラフィック画面に対して予め割り付けられた制御可能な設備機器も選択操作できる権限も割り当てることができる。このため、従来のように、グラフィック画面に関する制御機器の操作選択の権限をユーザ毎に個々に行う場合と比較して、余分な作業量が削減され、より効率的なプラント監視が可能となる。
【００４６】
実施の形態３．
図８はこの発明の実施の形態３における監視制御システムの構成図であり、実施の形態１に対応もしくは相当する部分には同一の符号を付して詳しい説明は省略する。
【００４７】
上記の実施の形態２では、ユーザグループ毎にグラフィック画面単位での監視又は監視制御の設定が可能である。しかし、ユーザが実際のプラント運用に即したより細かな監視制御を行おうとした場合、グラフィック画面の表示選択の権限を優先させるよりも、グラフィック画面上に予め割り付けられている機器シンボル単位で監視や監視制御の選択権限の設定を優先させる方が便利な場合がある。
【００４８】
そこで、この実施の形態３では、プラントを構成する個々の設備機器を監視又は監視制御の選択対象としており、したがって、実施の形態１、２のように、画面名称一覧４ｃによってグループ毎にグラフィック画面の表示／非表示を選択することは行わず、いずれのグループでも全てのシステム管理画面を表示可能とし、その上で監視又は監視制御を行う機器について選択を行なえるようにしている。
【００４９】
このため、この実施の形態３の監視制御システムでは、図１に示した実施の形態１の構成において、端末１の表示画面選択機能部１ｃに代えて、機器単位で監視制御の権限を設定するための機器操作権限付与機能部１ｅが設けられている。
【００５０】
この機器操作権限付与機能部１ｅは、操作管理機能部１ａからの指示に応じてユーザグループ管理画面４で選択されるユーザ名、監視制御用の機器（機器シンボル又は数値シンボル、およびそれらの名称）を示す制御情報を一時的に保持するとともに、この機器情報をサーバ２に送信する機能を有する。
【００５１】
次に、管理ユーザが、そのグループの一員であるユーザ、およびそのグループに対応した監視制御用の機器を選択設定する手順について説明する。
【００５２】
管理ユーザが端末１にログインして操作管理機能部１ａに所定の指示を出すと、実施の形態１と同様、サーバ２は、ＤＢ装置３に予め登録されているユーザグループ管理画面表示用の情報を端末１に送信するので、端末１には図９に示すようなユーザグループ管理画面４が表示される。
【００５３】
このユーザグループ管理画面４では、ユーザグループ名称４ａの中から管理ユーザが一つのグループを選択すると、これに応じて、サーバ２によりＤＢ装置３から取得したユーザ名がユーザ名一覧４ｂに、またプラントに配備されている機器の名称が機器名称一覧４ｉにそれぞれ表示される。
【００５４】
さらに、ユーザグループ管理画面４には、権限リストボックス４ｇが表示されるので、この権限リストボックス４ｇにおいて、「監視」または「監視・制御」のいずれかを選択することで、グループに関して、プラントを構成する設備機器を監視するのみか、設備機器を制御するかの権限を割り当てる。
【００５５】
すなわち、実施の形態１の場合と同様に、グループに所属するユーザを、ユーザ名一覧４ｂに設けられているユーザ選択チェックボックス４ｄにチェックを入れて選択し、また、権限リストボックス４ｇにおいて「監視・制御」を選択した状態で機器名称一覧４ｉに隣接した制御選択チェックボックス４ｈにチェックを入れた場合には、グラフィック画面に対して予め対応付けられた制御機器（制御可能な機器シンボル又は数値シンボル）を選択操作することが可能となり、制御可能な機器を個別に選択することができる。
【００５６】
図９に示す例では、ユーザグループ１に関して、ユーザ名としてユーザ１、７、８を選択し、また、権限リストボックス４ｇで「監視・制御」を選択した状態で、制御選択チェックボックス４ｈには、機器２、３、６、８を選択しているので、この選択された機器に関して機器シンボル又は数値シンボルを選択操作することが可能となる。
【００５７】
そして、機器操作権限付与機能部１ｅは、ユーザ選択チェックボックス４ｄ及び制御選択チェックボックス４ｈにチェックが入れられた制御機器（機器シンボル又は数値シンボル）についての設定内容をそれぞれ取得するので、保存ボタン４ｆが押下されたタイミングでこれらの設定情報をサーバ２へ送信する。サーバ２は、端末１から送信されたこれらのユーザグループ管理用の設定情報を設定情報保有機能部２ｂに保存する。
【００５８】
なお、権限リストボックス４ｇにおいて「監視」を選択した場合は、制御選択チェックボックス４ｈが全てチェック不可となる。このため、機器制御用の機器シンボル及び数値シンボルを選択（マウスクリック）して操作することが不可となる。
【００５９】
その後、グループの一員である任意のユーザが、端末１にユーザ名を指定してログインすると、端末１には図１０に示したようなプラント監視画面５が表示される。
【００６０】
ここで、メニュー一覧表示領域５ａには、ＤＢ装置３に予め登録されている全てのグラフィック画面の名称が一覧で表示される。そこで、表示されているグラフィック画面の名称の内、例えば画面名称２を選択した場合、画面表示領域５ｂには選択した画面名称に対応するグラフィック画面が表示される。
【００６１】
このグラフィック画面に関しては、図９に示したユーザグループ管理画面４の制御選択チェックボックス４ｈに既にチェックが入れられた機器のみが制御対象となり、これらの制御可能な機器（機器シンボル又は数値シンボル）を選択操作することが可能となる。
【００６２】
すなわち、画面表示領域５ｂに表示されたグラフィック画面について、画面上の制御可能な機器シンボルや数値シンボルを選択（クリック）すると、操作設定ウィンドウが現れ、機器状態の変更や数値設定が可能となる。
【００６３】
なお、図９に示したユーザグループ管理画面４の制御選択チェックボックス４ｈにチェックを入れていない機器については、シンボル自体は画面上に表示されるが、クリックしても操作設定ウィンドウは表示されない。
【００６４】
以上のように、この実施の形態３では、機器単位で監視・監視制御の権限設定が可能となるため、実際の運用により即したプラント監視が可能となる。また。ユーザ自身が監視及び制御の権限を編集できることで、より効率的なプラント監視が可能となる。
【００６５】
実施の形態４．
図１１はこの発明の実施の形態４における監視制御システムの構成図であり、実施の形態１〜３に対応もしくは相当する部分には同一の符号を付して詳しい説明は省略する。
【００６６】
先の実施の形態１、２では、ユーザグループ毎にグラフィック画面を選択することが可能である。しかし、プラントの運用によっては、これらのグラフィック画面以外の、例えば機器の監視データの現在までの時間経過情報であるトレンド、又は監視データの現在までの実績情報であるサマリといった機能単位の画面（以下、機能別画面という）を表示する選択権限を与えるのがプラントを監視、制御する上で利便性が高い場合がある。そこで、この実施の形態４では、トレンド又はサマリといった機能別画面を表示可能としたものである。
【００６７】
そのため、この実施の形態４の監視制御システムでは、図１に示した実施の形態１の構成において、端末１の表示画面選択機能部１ｃに代えて、グラフィック画面以外のトレンド又はサマリといった機能別画面についてグループ毎に操作権限を設定するための機能別操作権限付与機能部１ｆが設けられている。
【００６８】
この機能別操作権限付与機能部１ｆは、操作管理機能部１ａからの指示に応じてユーザグループ管理画面４で選択されるユーザ名及び機能別画面の設定情報を一時的に保持するとともに、この設定情報をサーバ２に送信する機能を有する。
【００６９】
次に、管理ユーザが、そのグループの一員であるユーザ、およびそのグループに対応した機能別画面を設定する手順について説明する。
【００７０】
管理ユーザが端末１にログインして操作管理機能部１ａに所定の指示を出すと、実施の形態１と同様、サーバ２は、ＤＢ装置３に予め登録されているユーザグループ管理画面表示用の情報を端末１に送信するので、端末１には図１２に示すようなユーザグループ管理画面４が表示される。
【００７１】
このユーザグループ管理画面４では、ユーザグループ名称４ａの中から管理ユーザが一つのグループを選択すると、これに応じて、サーバ２によりＤＢ装置３から取得したユーザ名がユーザ名一覧４ｂに、またトレンド又はサマリといった機能を表示した機能一覧４ｋがそれぞれ表示される。
【００７２】
さらに、ユーザグループ管理画面４には、権限リストボックス４ｇが表示されるので、この権限リストボックス４ｇにおいて、「表示」または「表示・操作」のいずれかを選択することで、グループに関して操作可能な機能を選択するかどうかの権限を割り当てる。
【００７３】
すなわち、実施の形態１の場合と同様に、ユーザ名一覧４ｂに設けられているユーザ選択チェックボックス４ｄにチェックを入れてユーザを選択し、また、権限リストボックス４ｇにおいて「表示・操作」を選択した状態で機能一覧４ｋに設けられている機能選択チェックボックス４ｍにチェックを入れることで、操作可能な機能を選択することができる。
【００７４】
図１２に示す例では、管理ユーザは、ユーザグループ管理画面４において、ユーザグループ１に関して、権限リストボックス４ｇで「表示・操作」を選択し、かつ機能選択チェックボックス４ｍでは「トレンド」及び「サマリ」にチェックを入れて、これらの機能を選択している。
【００７５】
そして、機能別操作権限付与機能部１ｆがユーザ選択チェックボックス４ｄ及び機能選択チェックボックス４ｍにチェックが入れられた機能についての設定内容をそれぞれ取得するので、保存ボタン４ｆが押下されたタイミングでこれらの設定情報をサーバ２へ送信する。サーバ２は、端末１から送信されたこれらのユーザグループ管理用の設定情報を設定情報保有機能部２ｂに保存する。
【００７６】
その後、グループの一員である任意のユーザが、端末１にユーザ名を指定してログインすると、端末１には図１３に示したようなプラント監視画面５が表示される。
【００７７】
プラントに配備された各種センサで得られるプラント監視用のデータは、ＤＢ装置３に格納されているので、ユーザが、メニュー一覧表示領域５ａにおいて、例えば「サマリ」を選択した場合、サーバ２は、ＤＢ装置３のプラント監視データに基づき、サマリ画面の表示のための情報を端末１に送信する。これにより、端末１の画面表示領域５ｂには、図１３に示すようなサマリ画面が表示される。そして、予め図１２の機能選択チェックボックス４ｍで「サマリ」にチェックが入れられておれば、このサマリ画面に関しては、サマリ画面上でのフリッカ停止又はメッセージ検索が利用可能となる。
【００７８】
また、ユーザが、メニュー一覧表示領域５ａにおいて、例えば「トレンド」を選択した場合、端末１の画面表示領域５ｂには、図１４に示すようなトレンド画面が表示される。そして、予め図１２の機能選択チェックボックス４ｍで「トレンド」にチェックが入れられておれば、このトレンド画面に関しては、グラフ上に表示するデータ項目の編集、又はグラフ上での表示期間の変更等の操作が可能となる。
【００７９】
なお、管理ユーザが、図１２に示したユーザグループ管理画面４の権限リストボックス４ｇで「表示」を選択した場合、あるいは機能選択チェックボックス４ｍにチェックを入れなかった機能については、トレンド等の機能別画面は表示されるものの、その画面上からの操作は不可となる。例えば、図１２に示した機能選択チェックボックス４ｍのトレンド機能にチェックを入れなかった場合、図１４のトレンド画面を表示した際、ユーザは、グラフ上に表示するデータ項目の編集、又はグラフ上での表示期間の変更等の操作は不可となる。
【００８０】
以上のように、この実施の形態４では、グラフィック画面以外の、トレンド又はサマリといった機能別画面の選択権限を与えることが可能となるため、実際のプラント運用の安全性の向上、プラント監視の利便性や効率化が可能となる。
【００８１】
実施の形態５．
図１５はこの発明の実施の形態５における監視制御システムの構成図であり、実施の形態２に対応もしくは相当する部分には同一の符号を付して詳しい説明は省略する。
【００８２】
この実施の形態５の監視制御システムでは、図５に示した実施の形態２の構成に加えて、端末１にグラフィック画面を縮小したサムネイル画面をグループ毎にユーザが編集することを可能とするためのサムネイル表示画面選択機能部１ｇが設けられている。
【００８３】
このサムネイル表示画面選択機能部１ｇは、操作管理機能部１ａからの指示に応じてユーザグループ管理画面４で選択されるサムネイル画面の設定情報を一時的に保持するとともに、この設定情報をサーバ２に送信する機能を有する。
【００８４】
次に、管理ユーザが、そのグループに対応したサムネイル画面の表示を設定する手順について説明する。
【００８５】
管理ユーザが端末１にログインして操作管理機能部１ａに所定の指示を出すと、実施の形態２と同様、サーバ２は、ＤＢ装置３に予め登録されているユーザグループ管理画面表示用の情報を端末１に送信するので、端末１には図１６に示すようなユーザグループ管理画面４が表示される。
【００８６】
実施の形態２の場合と同様、管理ユーザがこのユーザグループ管理画面４についてユーザグループ名称４ａの内から一つのグループを選択すると、これに応じて、権限リストボックス４ｇが表示されるとともに、ユーザ名一覧４ｂ、画面名称一覧４ｃ、画面名称一覧４ｃに隣接して表示選択チェックボックス４ｅ及び制御選択チェックボックス４ｈが表示され、さらに、この実施の形態５ではサムネイル画面選択チェックボックス４ｎが表示される。
【００８７】
そして、この実施の形態５では、表示選択チェックボックス４ｅにチェックを入れると、サムネイル画面選択チェックボックス４ｎにもチェックを入れることが可能となり、表示選択チェックボックス４ｅにチェックを入れたグラフィック画面に関するサムネイル画面を選択することができる。
【００８８】
図１６に示す例では、画面名称２、３、６、８に対応したグラフィック画面を選択するとともに、画面名称３、８のグラフィック画面に関するサムネイル画面の表示を選択している。
【００８９】
そして、サムネイル表示画面選択機能部１ｇは、このサムネイル画面の設定内容を取得するので、保存ボタン４ｆが押下されたタイミングで、この設定情報をサーバ２へ送信し、設定情報保有機能部２ｂによりサーバ２上に保存される。その他の設定情報の送信と保存については、実施の形態２の場合と同様である。
【００９０】
その後、グループの一員である任意のユーザが、端末１にユーザ名を指定してログインすると、端末１には図１７に示すたようなプラント監視画面５が表示される。
【００９１】
このプラント監視画面５の画面表示領域５ｂにおいて、例えば画面名称２のグラフィック画面が表示されている状態で、この画面表示領域５ｂに配置されたサムネイル表示ボタン５ｃを押すと、先の図１６のユーザグループ管理画面４のサムネイル画面選択チェックボックス４ｎに予めチェックを入れてサムネイル表示を設定した全てのサムネイル画面５ｄ（この例ではグラフィック画面３、８のサムネイル画面）が現れる。そして、これらのサムネイル画面５ｄの内の一つを例えばダブルクリックなどして選択すれば、その選択されたサムネイル画面５ｄが当該画面表示領域５ｂに拡大されてグラフィック画面に切り替わって表示される。
【００９２】
以上のように、この実施の形態５では、グラフィック画面に関するサムネイル画面の表示をユーザが編集可能とすることで、現在表示されているグラフィック画面から、ユーザが次に監視したい画面への展開が容易となるため、端末１におけるシステムか監視の効率化が可能となる。
【００９３】
実施の形態６．
図１８はこの発明の実施の形態６における監視制御システムの構成図であり、実施の形態２に対応もしくは相当する部分には同一の符号を付して詳しい説明は省略する。
【００９４】
実施の形態１、２では、ユーザをグルーピングして各グループに対応したグラフィック画面を選択設定する権限を与えるようにしているが、グループの数が増加すると、ユーザが所属するグループ及び権限といった項目の確認が煩雑となる。
【００９５】
そこで、この実施の形態６の監視制御システムでは、図５に示した実施の形態２の構成に加えて、端末１にグループに所属するユーザがどのような権限をもち、また表示可能なグラフィック画面に関してどのような権限が付与されているのかを容易に検索するための権限検索機能部１ｈが設けられている。
【００９６】
この権限検索機能部１ｈは、操作管理機能部１ａからの指示により、サーバ２の設定情報保有機能部２ｂに保有されている情報に基づき、ユーザ名の選択に応じてユーザの所属しているグループ、権限および表示可能なグラフィック画面を検索表示し、
また、表示可能なグラフィック画面の選択に応じてその画面に関する権限（監視あるいは監視制御ができるグループ）を検索表示する機能を有する。
【００９７】
次に、あるグループの一員である任意のユーザがグループに割り当てられた権限を検索する場合の動作について説明する。
【００９８】
先の実施の形態２で説明したように、予め管理ユーザがグラフィック画面を表示するか非表示とするかの権限を付与し、それらの設定情報がサーバ２の設定情報保有機能部２ｂに格納された状態において、その後、あるグループの一員である任意のユーザが、端末１にユーザ名を指定してログインして所定の操作を行うと、端末１には検索画面９が表示される。
【００９９】
そこで、次に、ユーザが検索画面９において、リストボックス９ａから「ユーザから検索」もしくは「画面から検索」を選択する。
【０１００】
図１９に示すように、リストボックス９ａから「ユーザから検索」を選択すると、これに応じて操作管理機能部１ａからの指示により、権限検索機能部１ｈは、サーバ２の設定情報保有機能部２ｂに保有されている情報に基づきユーザ名候補一覧９ｂを表示する。続いて、このユーザ名候補一覧９ｂから自分のユーザ名を選択（例えばユーザＢを選択）した後、検索ボタン９ｃを押下すると、これに応じて、権限検索機能部１ｈは、サーバ２の設定情報保有機能部２ｂに保有されている情報に基づき、当該ユーザが所属しているグループ、およびそのグループの権限（監視のみ可能、あるいは監視制御の双方可能）、およびグループの監視用や監視制御用のグラフィック画面の情報を取得するので、その検索結果９ｄが表示される。
【０１０１】
また、図２０に示すように、リストボックス９ａから「画面から検索」を選択すると、これに応じて操作管理機能部１ａからの指示により、権限検索機能部１ｈは、サーバ２の設定情報保有機能部２ｂに保有されている情報に基づき画面名称候補一覧９ｅを表示する。続いて、この画面名称候補一覧９ｅから一つのグラフィック画面を選択（例えばグラフィック画面ｂとして選択）した後、検索ボタン９ｃを押下すると、これに応じて、権限検索機能部１ｈは、サーバ２の設定情報保有機能部２ｂに保有されている情報に基づき、該当画面を表示できるグループ名称および権限の情報を取得するので、その検索結果９ｆが表示される。
【０１０２】
以上のように、この実施の形態６では、グループに所属するユーザがどのような権限をもち、また表示可能なグラフィック画面に関してどのような権限が付与されているのかを容易に検索することができる。これにより、効率的なプラント運用が可能となる。
【０１０３】
なお、この発明は、上記の実施の形態１〜６の構成のみに限定されるものではなく、この発明の趣旨を逸脱しない範囲内において、各実施の形態１〜６の構成の一部を変更したり、その構成を省略することができ、また、各実施の形態１〜６の構成を適宜組み合わせることが可能である。
【符号の説明】
【０１０４】
１  端末、１ａ  操作管理機能部、１ｂ  ユーザグルーピング機能部、
１ｃ  表示画面選択機能部、１ｄ  画面操作権限付与機能部、
１ｅ  機器操作権限付与機能部、１ｆ  機能別操作権限付与機能部、
１ｇ  サムネイル表示画面選択機能部、１ｈ  権限検索機能部、２  サーバ、
２ａ  監視データ配信機能部、２ｂ  設定情報保有機能部、
３  データベース装置（ＤＢ装置）、４  ユーザグループ管理画面、
５  プラント監視画面。
【図１】
2019114090.tif 000003
【図２】
2019114090.tif 000004
【図３】
2019114090.tif 000005
【図４】
2019114090.tif 000006
【図５】
2019114090.tif 000007
【図６】
2019114090.tif 000008
【図７】
2019114090.tif 000009
【図８】
2019114090.tif 000010
【図９】
2019114090.tif 000011
【図１０】
2019114090.tif 000012
【図１１】
2019114090.tif 000013
【図１２】
2019114090.tif 000014
【図１３】
2019114090.tif 000015
【図１４】
2019114090.tif 000016
【図１５】
2019114090.tif 000017
【図１６】
2019114090.tif 000018
【図１７】
2019114090.tif 000019
【図１８】
2019114090.tif 000020
【図１９】
2019114090.tif 000021
【図２０】
2019114090.tif 000022